(57)【要約】【課題】  データを記録メディアに転送する時間の短縮が可能で、容易にデータ管理を行うことのできるデータ記録装置及びデジタルカメラを提供する。【解決手段】  装填された複数の記録メディア（１２０ａ、１２０ｂ）の組合せが適正であるか否かを判定する判定手段と、判定手段によって適正であると判定された場合には記録対象データを複数の記録メディアに所定の順序で振り分けて記録する記録手段（４０）とを具備するデータ記録装置である。【選択図】    図３
2005175575.tif 000002
【特許請求の範囲】
【請求項１】
複数の記録メディアを同時に装填できるデータ記録装置において、
装填された上記複数の記録メディアの組合せが適正であるか否かを判定する判定手段と、
上記判定手段によって適正であると判定された場合には記録対象データを上記複数の記録メディアに所定の順序で振り分けて記録する記録手段と
を具備することを特徴とするデータ記録装置。
【請求項２】
上記判定手段は、上記複数の記録メディアの組合せを表わす組合せ識別情報に基づいて組合せが適正であるか否かを検出することを特徴とする請求項１に記載のデータ記録装置。
【請求項３】
上記判定手段によって上記複数の記録メディアの組合せが適正でないと判定された場合に、警告表示を行う警告手段を更に具備することを特徴とする請求項１に記載のデータ記録装置。
【請求項４】
上記判定手段によって上記複数の記録メディアの組合せが適正でないと判定された場合には、一方の記録メディアに優先して前記記録対象データを記録し、この記録メディアに空き容量がなくなったときには他の記録メディアに記録することを特徴とする請求項１に記載のデータ記録装置。
【請求項５】
上記組合せ識別情報は、上記記録メディアのそれぞれに格納されたファイルのファイル名であることを特徴とする請求項１に記載のデータ記録装置。
【請求項６】
上記組合せ識別情報は、上記記録メディアのそれぞれに格納された特定のファイルのテキスト情報であることを特徴とする請求項１に記載のデータ記録装置。
【請求項７】
上記組合せ識別情報は、上記記録メディアのボリュームラベル情報であることを特徴とする請求項１に記載のデータ記録装置。
【請求項８】
上記組合せ識別情報は、ディレクトリ名もしくはフォルダ名であることを特徴とする請求項１に記載のデータ記録装置。
【請求項９】
上記複数の記録メディアは着脱可能であることを特徴とする請求項１乃至８の内のいずれか１項に記載のデータ記録装置。
【請求項１０】
請求項１乃至９の内のいずれか１項に記載のデータ記録装置を備えたことを特徴とするデジタルカメラ。
【発明の詳細な説明】
【技術分野】
【０００１】
本発明は、複数の記録メディアに対してデータを効率的に転送する技術に関する。
【背景技術】
【０００２】
パーソナルコンピュータなどではデータを保存する際に、そのデータを複数のＨＤＤ（ハードディスクドライブ装置）に分割して保存することにより、データの書込み時間を短縮してシステムのパフォーマンスを高める技術が採用されている。
【０００３】
このデータ転送時間の効率化技術はデジタルカメラについてもニーズが高く、例えば、２枚のメモリカードを装着することが可能なデジタルカメラについて、それぞれのメモリカードがどちらのスロットに装着されているかをユーザに意識させること無く、装着されたメモリカードの管理をユーザが容易に行うことができるデジタルカメラが提案されている（特許文献１参照）
【特許文献１】特開２００１−１６９２２５号公報
【発明の開示】
【発明が解決しようとする課題】
【０００４】
しかし、特許文献１に記載の技術では、その複数の記録メディアをデジタルカメラから取り外すと、その記録メディア同士は何らの関連性ももたずにバラバラになってしまう。複数の記録メディアを全体として１つの記録メディアとして取り扱う技術思想からすれば、撮影時における画像のデータ転送時間の効率化のみでなく、撮影後の画像データの管理も複数の記録メディア全体として容易に実施できることが求められる。さらに、撮影時における画像データ転送時間の効率化に関しても、更なる転送時間の効率化を図るための種々の転送方式の開発が求められる。
【０００５】
しかしながら、特許文献１にはこれらの課題の解決を図るための記載あるいは示唆する記載はされていない。
【０００６】
本発明は、かかる事情に鑑みてなされたものであって、データを記録メディアに転送する時間の短縮が可能で、容易にデータ管理を行うことのできるデータ記録装置及びデジタルカメラを提供することを目的とする。
【課題を解決するための手段】
【０００７】
本発明に係る請求項１に記載のデータ記録装置は、複数の記録メディアを同時に装填できるデータ記録装置において、装填された上記複数の記録メディアの組合せが適正であるか否かを判定する判定手段と、上記判定手段によって適正であると判定された場合には記録対象データを上記複数の記録メディアに所定の順序で振り分けて記録する記録手段と
を具備する。
【０００８】
また本発明に係る請求項２に記載のデータ記録装置は、上記記載の発明であるデータ記録装置において、上記判定手段は、上記複数の記録メディアの組合せを表わす組合せ識別情報に基づいて組合せが適正であるか否かを検出する。
【０００９】
また本発明に係る請求項３に記載のデータ記録装置は、上記記載の発明であるデータ記録装置において、上記判定手段によって上記複数の記録メディアの組合せが適正でないと判定された場合に、警告表示を行う警告手段を更に具備する。
【００１０】
また本発明に係る請求項４に記載のデータ記録装置は、上記記載の発明であるデータ記録装置において、上記判定手段によって上記複数の記録メディアの組合せが適正でないと判定された場合には、一方の記録メディアに優先して前記記録対象データを記録し、この記録メディアに空き容量がなくなったときには他の記録メディアに記録する。
【００１１】
また本発明に係る請求項５に記載のデータ記録装置は、上記記載の発明であるデータ記上記組合せ識別情報は、上記記録メディアのそれぞれに格納されたファイルのファイル名である。
【００１２】
また本発明に係る請求項６に記載のデータ記録装置は、上記記載の発明であるデータ記録装置において、上記組合せ識別情報は、上記記録メディアのそれぞれに格納された特定のファイルのテキスト情報である。
【００１３】
また本発明に係る請求項７に記載のデータ記録装置は、上記記載の発明であるデータ記録装置において、上記組合せ識別情報は、上記記録メディアのボリュームラベル情報である。
【００１４】
また本発明に係る請求項８に記載のデータ記録装置は、上記記載の発明であるデータ記録装置において、上記組合せ識別情報は、ディレクトリ名もしくはフォルダ名である。
【００１５】
また本発明に係る請求項９に記載のデータ記録装置は、上記記載の発明であるデータ記録装置において、上記複数の記録メディアは着脱可能である。
【００１６】
また本発明に係る請求項１０に記載のデジタルカメラは、上記記載の発明であるデータ記録装置を備えた。
【発明の効果】
【００１７】
本発明によれば、データを記録メディアに転送する時間の短縮が可能で、容易にデータ管理を行うことができる。
【発明を実施するための最良の形態】
【００１８】
［第１の実施の形態］
図１は、本発明の第１の実施の形態のデータ記録装置が適用されるデジタルカメラを示す斜視図である。
【００１９】
本デジタルカメラは、ボディユニット１００、レンズユニット１２及びストロボユニット（不図示）８０で構成されている。
【００２０】
そして、ボデイユニット１００にはカメラ操作用ＳＷ５２、動作表示用ＬＣＤ５７、ストロボ取り付け用シュー８７、グリップ部１１０が備えられている。
【００２１】
カメラ操作用ＳＷ５２には、合焦、撮影動作を開始するためのレリーズボタン５２ａ、シャッタスピード・絞りを設定するための設定ダイヤル５２ｂ、露出モード（絞り優先、シャッタ優先、マニュアル等）を設定するためのモードダイヤル５２ｃ、電源ＯＮ・ＯＦＦ用のパワースイッチ５２ｄが設けられている。
【００２２】
また撮影者がボディユニット１００を把持するためのグリップ部１１０には、後述するメモリカード１２０、電源用電池５４などを収納する機構が設けられている。
【００２３】
図２は、グリップ部１１０のカードカバー１１１を開いて斜め後方から見た斜視図である。グリップ部１１０内には、メモリカード１２０を記録メディア（後述）に挿入するための挿入部１１５ａ、１１５ｂ、及びメモリカード１２０を挿入部１１５ａ、１１５ｂから取り出すための取り出しレバー１１６ａ、１１６ｂが設けられている。
【００２４】
次に、本デジタルカメラのシステム構成について図３を参照しつつ説明する。
【００２５】
このデジタルカメラのシステムは、カメラ本体としてのボディユニット１００と、アクセサリ装置（以下「アクセサリ」と略称する）として例えば、交換レンズとしてのレンズユニット（即ちレンズ鏡筒）１２と、撮影した画像データを記録しておく記録メディア３９、および外付けのストロボユニット８０などから構成されている。
【００２６】
ユーザが所望するレンズユニット１２は、ボディユニット１００の前面に設けられたレンズマウント（不図示）を介して着脱自在に設定されている。
【００２７】
記録メディア３９は、各種のメモリカードや外付けのＨＤＤ等の外部記録媒体であり、複数の記録メディア３９ａ、３９ｂが用意され、それぞれ通信コネクタ３５ａ、３５ｂを介してカメラ本体と通信可能かつ交換可能に装着される。
【００２８】
またストロボユニット８０は、閃光電球８１、ＤＣ／ＤＣコンバータ８２、ストロボ制御マイクロコンピュータ８３および電池８４から成り、ストロボ通信コネクタ８５を介してカメラ本体と通信可能に装着できる。
【００２９】
レンズユニット１２の制御はレンズ制御用マイクロコンピュータ（以下”Ｌｕｃｏｍ”と称する）５が行う。ボディユニット１００の制御はボディ制御用マイクロコンピュータ（以下“Ｂｕｃｏｍ”と称する）５０が行う。尚、これらＬｕｃｏｍ５とＢｕｃｏｍ５０とは、合体時において通信コネクタ６を介して通信可能に電気的接続がなされる。そしてカメラシステムとしてＬｕｃｏｍ５がＢｕｃｏｍ５０に従属的に協働しながら稼動するようになっている。
【００３０】
レンズユニット１２内には撮影レンズ１２ａと絞り３が設けられている。撮影レンズ１２ａはレンズ駆動機構２内に在る図示しないＤＣモータによって駆動される。絞り３は絞り駆動機構４内に在る図示しないステッピングモータによって駆動される。Ｌｕｃｏｍ５はＢｕｃｏｍ５０の指令に従ってこれら各モータを制御する。
【００３１】
ボディユニット１００内には次の構成部材が図示のように配設されている。例えば、光学系としての一眼レフ方式の構成部材（ペンタプリズム１３ａ、クイックリターンミラー１３ｂ、接眼レンズ１３ｃ、サブミラー１３ｄ）と、シャッタ１４と、上記サブミラー１３ｄからの反射光束を受けて自動測距する為のＡＦセンサユニット３０ａが設けられている。そして、フォーカルプレーン式のシャッタ１４の後段には、光学系を通過した被写体像を光電変換するためのＣＣＤ２７が防塵フィルタ２１を介して設けられている。
【００３２】
そして、防塵フィルタ２１には圧電素子２２が設けられ、圧電素子２２は防塵フィルタ駆動回路４８によって振動して防塵フィルタ２１に付着した塵を除去する。なお、圧電素子２２は、温度によってその特性が変化するため、温度測定回路３３で実測した温度に基づいてＢｕｃｏｍ５０が防塵フィルタ駆動回路４８に適切な駆動信号を供給する。
【００３３】
また、このＡＦセンサユニット３０ａを駆動制御するＡＦセンサ駆動回路３０ｂと、上記クイックリターンミラー１３ｂを駆動制御するミラー駆動機構１８と、上記シャッタ１４の先幕と後幕を駆動するシャッタチャージ機構１９、先幕と後幕の動きを制御するシャッタ制御回路３１と、上記ペンタプリズム１３ａからの光束に基づき測光処理する測光回路３２が設けられている。
【００３４】
そして、シャッタチャージ機構１９とシャッタ制御回路３１は、Ｂｕｃｏｍ５０との間でシャッタの開閉動作を制御する信号の授受を行う。
【００３５】
このカメラシステムにはまた、ＣＣＤ２７に接続したＣＣＤインターフェイス回路３４、液晶モニタ３６、記憶領域として設けられたＳＤＲＡＭ３８ａ、Ｆｌａｓｈ Ｍｅｍｏｒｙ３８ｂおよび記録メディア３９ａ、３９ｂなどを利用して画像処理する画像処理コントローラ４０とが設けられ、電子撮像機能と共に電子記録表示機能を提供できるように構成されている。
【００３６】
記録メディア３９ａ、３９ｂは、それぞれ通信コネクタ３５ａ、３５ｂを介して画像処理コントローラ４０と接続され撮像データの授受を行う。
【００３７】
Ｂｕｃｏｍ５０には、当該カメラの動作状態を表示出力によってユーザへ告知するための動作表示用ＬＣＤ５７と、カメラ操作ＳＷ５２とが設けられている。上記カメラ操作ＳＷ５２は、例えばレリーズボタン５２ａ、モードダイヤル５２ｃおよびパワースイッチ５２ｄなど、当該カメラを操作するために必要な操作釦を含むスイッチ群である。さらに、電源としての電池５４と、この電源の電圧を当該カメラシステムの各回路ユニットが必要とする電圧に変換して供給する電源回路５３ａ、電源検出回路５３ｂが設けられている。
【００３８】
上述した如くに構成されたカメラシステムの各部は次のように稼動する。
【００３９】
ミラー駆動機構１８は、クイックリターンミラー１３ｂをＵＰ位置とＤＯＷＮ位置へ駆動するための機構であり、このクイックリターンミラー１３ｂがＤＯＷＮ位置にある時、撮影レンズ１２ａからの光束はＡＦセンサユニット３０ａ側とペンタプリズム１３ａ側へと分割されて導かれる。
【００４０】
ＡＦセンサユニット３０ａ内のＡＦセンサからの出力は、ＡＦセンサ駆動回路３０ｂを介してＢｕｃｏｍ５０へ送信されて周知の測距処理が行われる。
【００４１】
また、ペンタプリズム１３ａに隣接する接眼レンズ１３ｃからはユーザが被写体を目視できる一方、このペンタプリズム１３ａを通過した光束の一部は測光回路３２内のホトセンサ（不図示）へ導かれ、ここで検知された光量に基づき周知の測光処理が行われる。
【００４２】
シャッタ制御回路３１は、Ｂｕｃｏｍ５０からシャッタを駆動制御するための信号を受け、その信号に基づいてシャッタ１４の動作を制御すると共に、所定のタイミングで、Ｂｕｃｏｍ１５０にストロボを発光させるためのストロボ同調信号を出力する。Ｂｕｃｏｍ５０は、このストロボ同調信号に基づいてストロボユニット８０に通信により発光指令信号を出力する。
【００４３】
画像処理コントローラ４０は、Ｂｕｃｏｍ５０の指令に従ってＣＣＤインターフェイス回路３４を制御してＣＣＤ２７から画像データを取り込む。この画像データは画像処理コントローラ４０でビデオ信号に変換され、液晶モニタ３６にて出力表示される。ユーザはこの液晶モニタ３６の表示画像から、撮影した画像イメージを確認できる。
【００４４】
ＳＤＲＡＭ３８ａは画像データの一時的保管用メモリであり、画像データが変換される際のワークエリアなどに使用される。またこの画像データはＪＰＥＧデータに変換された後には記録メディア３９ａ、３９ｂに保存するように設定されている。そして、連写モードで撮影した画像データを保存する際には、画像処理コントローラ４０が効率的に画像データを保存するようにデータ転送動作を制御する。
【００４５】
続いて、記録メディア３９ａ、３９ｂに挿入されるメモリカード１２０同士が特定の組合せに係るものかどうかを識別する方法について説明する。本発明に係る実施の形態では、メモリカード１２０内に所定の組合せであることを識別するための組合せ識別情報を設けている。
【００４６】
図４は、組合せ識別情報に係る第１の実施の形態を示す図である。
【００４７】
メモリカード１２０ａ、１２０ｂには、それぞれ画像処理コントローラ４０によって振り分けられた画像データ１２１ａ、１２１ｂとともに、識別専用ファイル１２２ａ、１２２ｂが格納されている。この識別専用ファイル１２２ａ、１２２ｂには、メモリカード１２０ａとメモリカード１２０ｂが所定の組合せであることを示す組合せ識別情報が記載されている。
【００４８】
図５に示す識別専用ファイル１２２ａ、１２２ｂには、組合せ識別情報として「年月日＋区分コード」が記載されている。すなわち、図５の（１）に示す識別専用ファイル１２２ａには、組合せ識別情報として、ファイルが生成された年月日時分に対応する「２００３ｊａｎ２５１０３０」と区分コードに対応する「ａ」が記載され、図５の（２）に示す識別専用ファイル１２２ｂには、組合せ識別情報として、年月日時分に対応する「２００３ｊａｎ２５１０３０」と区分コードに対応する「ｂ」が記載されている。従って、この例では最後の１桁のみが異なる組合せ識別情報が格納されたメモリカードは所定の組合せに係るものであることが識別できる。
【００４９】
図６は、組合せ識別情報に係る第２の実施の形態を示す図である。
【００５０】
メモリカード１２０ａ、１２０ｂには、それぞれ画像処理コントローラ４０によって振り分けられた画像データ１２１ａ、１２１ｂとともに、識別専用ファイル１２３ａ、１２３ｂが格納されている。この識別専用ファイル１２３ａ、１２３ｂのファイル名には、メモリカード１２０ａとメモリカード１２０ｂが所定の組合せであることを示す組合せ識別情報が使用されている。
【００５１】
図６に示す識別専用ファイル１２３ａ、１２３ｂには、組合せ識別情報として「年月日＋区分コード」がファイル名として定義されている。すなわち、識別専用ファイル１２３ａのファイル名は、年月日に対応する「ＹＹＭＭＤＤ」と区分コードに対応する「ａ」を組合わせた「ＹＹＭＭＤＤａ」であり、識別専用ファイル１２３ｂのファイル名は、年月日に対応する「ＹＹＭＭＤＤ」と区分コードに対応する「ｂ」を組合わせた「ＹＹＭＭＤＤｂ」である。従って、この例ではファイル名のうち、最後の１桁のみが異なるファイル名をもつ識別専用ファイルが格納されたメモリカードは所定の組合せに係るものであることが識別できる。
【００５２】
図７は、組合せ識別情報に係る第３の実施の形態を示す図である。
【００５３】
メモリカード１２０ａ、１２０ｂには、それぞれ画像処理コントローラ４０によって振り分けられた画像データ１２１ａ、１２１ｂが格納されるとともに、そのボリュームラベル１２４ａ、１２４ｂには、メモリカード１２０ａとメモリカード１２０ｂが所定の組合せであることを示す組合せ識別情報が記載されている。
【００５４】
図７に示すボリュームラベル１２４ａ、１２４ｂには、組合せ識別情報として「年月日＋区分コード」がラベル名として定義されている。すなわち、ボリュームラベル１２４ａのファイル名は、第２の実施の形態と同様に「ＹＹＭＭＤＤａ」であり、ボリュームラベル１２４ｂのファイル名は、第２の実施の形態と同様に「ＹＹＭＭＤＤｂ」である。従って、この例ではボリューム名のうち、最後の１桁のみが異なるメモリカード同士は所定の組合せに係るものであることが識別できる。
【００５５】
なお、組合せ識別情報は、上述の実施の形態にある年月日情報に限られず、統一した符号を用いるものであれば適用することができる。例えば、ランダムにコードを発生させ、そのコードを用いても良い。また、他の方法により生成したコードであっても、そのコードが相互に統一が図られ、実用上ユニークなものであれば組合せ識別情報として使用することができる。
【００５６】
図８、図９、図１０は、デジタルカメラにおける画像データの転送、記録動作を示す概略のフロー図である。この動作は、図３に示すＢｕｃｏｍ５０が統括して制御する。
【００５７】
デジタルカメラの電池が装填されたときは（ステップＳ０１）、内部のデータエリアの初期化が行われる（ステップＳ０２）。具体的には、ＳＤＲＡＭ３８ａ、Ｆｌａｓｈ Ｒｏｍ３８ｂのワークエリアの初期化、通信用のポートの初期化が行われる。
【００５８】
パワースイッチ５２ｄの状態が調べられ、パワースイッチ５２ｄがＯＮのとき（ステップＳ０３  Ｙｅｓ）、即ちデジタルカメラの各部に電源が供給されて動作可能の状態になっているときは、記録メディア３９ａ、３９ｂにメモリカード１２０ａ、１２０ｂが接続されているかどうかを調べる（ステップＳ０４、Ｓ０６）。
【００５９】
メモリカード１２０ａ、１２０ｂが接続されている場合には（ステップＳ０４  Ｙｅｓ、Ｓ０６  Ｙｅｓ）、接続されているメモリカード１２０ａ、１２０ｂのＦＡＴ（File Allocation Table）情報を読込み、空き容量等の情報を取得して記憶する（ステップＳ０５、Ｓ０７）。
【００６０】
次に、メモリカード１２０ａ、１２０ｂ内に組合せ識別情報があるかどうかを調べる（ステップＳ０８）。
【００６１】
メモリカード１２０ａ、１２０ｂ内に組合せ識別情報がない場合で、メモリカード１２０ａ、１２０ｂ内に画像データが保存されている場合（ステップＳ０８  Ｎｏ、ステップＳ０９  Ｙｅｓ）は、誤ったメモリカード１２０ａ、１２０ｂが使用されている可能性があるとの警告を発し、併せて、このまま操作を続行するかどうかの入力を促す指示を動作表示用ＬＣＤに表示して、待機状態に入る（ステップＳ１０、Ｓ１１）。
【００６２】
撮影者は操作を中断するときは、パワースイッチ５２ｄをＯＦＦにして、メモリカードを入れ替え、再度最初から処理を開始する。
【００６３】
一方、撮影者が操作を続行すると入力した場合（ステップＳ１１  Ｙｅｓ）、あるいはメモリカード１２０ａ、１２０ｂ内に画像データが保存されていない場合（ステップＳ０９  Ｎｏ）は、新規に組合せ識別情報を生成する（ステップＳ１２）。
【００６４】
続いて、メモリカード１２０ａ、１２０ｂの組合せ識別情報を比較して、所定の組合せとなっているかどうかを調べる（ステップＳ１３、Ｓ１４）。
【００６５】
所定の組合せになっている場合（ステップＳ１４  Ｙｅｓ）は、ペアフラグを「１」とする。所定の組合せになっていない場合（ステップＳ１４  Ｎｏ）は、誤った組合せのメモリカード１２０ａ、１２０ｂが使用されている旨の警告を表示して（ステップＳ１６）、ペアフラグを「０」とする（ステップＳ１７）。
【００６６】
続いて、接続されているメモリカード１２０ａ、１２０ｂのそれぞれについて、ＦＡＴ情報等に基づいて空き容量があるかどうかを調べる（ステップＳ１８、Ｓ１９）。ここで、現在用いられている画質モードによって更に１枚以上の画像を撮影できる場合に、空き容量があると判断する。空き容量がメモリカード１２０ａ、１２０ｂにない場合は、動作表示用ＬＣＤ５７に、その旨の警告を表示する（ステップＳ２０）。
【００６７】
次に、カメラ操作ＳＷ５２のモードダイヤル５２ｃ、設定ダイヤル５２ｂが操作され露出モード等が新たに設定されたかどうかを調べ（ステップＳ２１）、露出モード等が新たに設定されている場合は、その設定値で撮影を行うための準備処理を実施する（ステップＳ２２）。
【００６８】
そして、レリーズボタン５２ａが操作されるまで待機し（ステップＳ２３  Ｎｏ）、レリーズボタン５２ａの半押しを検出したときに（ステップＳ２４  Ｙｅｓ）、測光を行って露出演算を実行し（ステップＳ２５）、ＡＦセンサユニット３０ａの出力に基づいてレンズユニット１２の撮影レンズ１２ａの駆動を制御して合焦動作を行う（ステップＳ２６、Ｓ２７）。
【００６９】
その後、レリーズボタン５２ａの全押しを検出したときに（ステップＳ２８  Ｙｅｓ）、露出動作を行う（ステップＳ２９）。即ち、クイックリターンミラー１３ｂとサブミラー１３ｄを光路外に移動して、シャッタ１４の先幕、後幕を制御し、光像を所定時間だけＣＣＤ２７上に結像させる（ステップＳ２９）。
【００７０】
そして、ＣＣＤ２７から取り出し画像処理コントローラ４０で画像処理した画像を記録メディア３９ａ、３９ｂに転送して記録させる（ステップＳ３０）。
【００７１】
図１０は、記録メディア３９ａ、３９ｂに画像を記録させる手順を示す概略のフロー図である。
【００７２】
ペアフラグを調べて、ペアフラグが「１」の場合（ステップＴ０１  Ｙｅｓ）は、画像を記録メディア３９ａ、３９ｂに交互に転送する。例えば、撮影した画像のコマ番号が奇数の場合はメモリカード１２０ａに記録し（ステップＴ０２  Ｙｅｓ、Ｔ０３）、撮影した画像のコマ番号が偶数の場合はメモリカード１２０ｂに記録する（ステップＴ０２  Ｎｏ、Ｔ０４）。
【００７３】
このように交互に記録することにより、同時タイミングでメモリカード１２０ａとメモリカード１２０ｂに画像を記録することができるため、データ転送時間を短縮することができる。
【００７４】
ペアフラグを調べて、ペアフラグが「０」の場合（ステップＴ０１  Ｎｏ）は、いずれかのメモリカードに記録する。
【００７５】
そこで、メモリカード１２０ａに空き領域がある場合は、画像を記録メディア３９ａに転送して、メモリカード１２０ａに記録する（ステップＴ１０  Ｙｅｓ、Ｔ１１）。しかし、メモリカード１２０ａに空き領域がない場合は、メモリカード１２０ｂに空き領域があるかどうかを調べる（ステップＴ１２）。
【００７６】
そして、メモリカード１２０ｂに空き領域がある場合は、画像を記録メディア３９ｂに転送して、メモリカード１２０ｂに記録する（ステップＴ１２  Ｙｅｓ、Ｔ１３）。しかし、メモリカード１２０ｂに空き領域がない場合は、画像を記録することができない旨の警告を動作表示用ＬＣＤ５７に表示する（ステップＴ１４）。なお、この空き領域の有無判断は、実際に撮影された画像のサイズに基づいて行われる。
【００７７】
また、図１０に示す記録メディア３９ａ、３９ｂに画像を記録させる処理において、ステップＴ０１〜Ｔ０４の、メモリカード１２０ａ、１２０ｂに画像を振り分けて記録する処理は、デジタルカメラが連写モードで撮影しているときに実行するようにしても良い。連写モードにおいては、撮影画像が短時間で多く発生するため、記録メディア３９ａ、３９ｂに効率的に書き込む必要があるが、連写モードでなければ撮影画像の発生間隔は長いため、記録メディアへの書き込みが問題になることが少ないからである。
【００７８】
以上のようにして図９のステップＳ３９の処理を行った後は、図８のステップＳ０３に戻り、上述の処理を繰り返す。
【００７９】
次に、記録メディア３９ａ、３９ｂと画像処理コントローラ４０との間のデータ授受手順について説明する。
【００８０】
図１１は、記録メディア３９ａ、３９ｂと画像処理コントローラ４０との間の信号接続を示す図である。
【００８１】
画像処理コントローラ４０と記録メディア３９ａの通信コネクタ３５ａの間は、アドレス信号（Ａ０００〜Ａ００９）、データ信号（Ｄ０００〜Ｄ０１５）、Ｗｒｉｔｅ信号（ＷＲ０）、Ｗａｉｔ信号（ＷＡＩＴ０）、Ｃｈｉｐ_ｅｎａｂｌｅ信号（ＣＥ０）で接続されている。
【００８２】
アドレス信号（Ａ０００〜Ａ００９）は、画像処理コントローラ４０が記録メディア３９ａに対して画像データを書き込むアドレスを指定するための信号である。データ信号（Ｄ０００〜Ｄ０１５）は、画像処理コントローラ４０が記録メディア３９ａに対して転送するデータを表わす信号である。
【００８３】
Ｗｒｉｔｅ信号（ＷＲ０）は、画像処理コントローラ４０が記録メディア３９ａに対してデータを読込むタイミングを指定する信号である。Ｗａｉｔ信号（ＷＡＩＴ０）は、記録メディア３９ａが画像処理コントローラ４０に対してデータの転送を一時停止するように求める信号である。Ｃｈｉｐ_ｅｎａｂｌｅ信号（ＣＥ０）は、画像処理コントローラ４０が記録メディア３９ａに対してデータの転送先として選ばれていることを示す信号である。
【００８４】
同様に、画像処理コントローラ４０と記録メディア３９ｂの通信コネクタ３５ｂの間は、アドレス信号（Ａ１００〜Ａ１０９）、データ信号（Ｄ１００〜Ｄ１１５）、Ｗｒｉｔｅ信号（ＷＲ１）、Ｗａｉｔ信号（ＷＡＩＴ１）、Ｃｈｉｐ_ｅｎａｂｌｅ信号（ＣＥ１）で接続されている。これらの信号の内容は、上述の通信コネクタ３５ａの間の信号と同じであるため詳細の説明は省略する。
【００８５】
図１２は、画像処理コントローラ４０での記録メディア３９ａとのデータ授受手順を示すフロー図であり、図１３は、画像処理コントローラ４０と記録メディア３９ａとのデータ授受信号のタイムチャートを表わす図である。図１２、図１３を参照しつつデータ授受動作を説明する。
【００８６】
画像処理コントローラ４０は、Ｃｈｉｐ_ｅｎａｂｌｅ信号（ＣＥ０）を「Ｈ」レベルにして記録メディア３９ａに対してデータ転送を行うことを通知する（ステップＲ０１）。記録メディア３９ａは、データの受け入れのための準備を行う。
【００８７】
次に、画像処理コントローラ４０は、画像データを書き込むアドレス（Ａ０００〜Ａ００９）をアドレス用ポートに出力する（ステップＲ０２）。ここで、画像データを書き込むアドレス情報は、このデータ授受動作の開始に先立って行われる通信（不図示）によって、画像処理コントローラ４０が把握している。
【００８８】
次に、画像処理コントローラ４０は、転送する画像データを複数に分割し、その分割したそれぞれのデータを１回の送信単位として、送信を繰り返して画像データを記録メディア３９ａに転送する
画像処理コントローラ４０は、最初のデータ（Ｄ０００〜Ｄ０１５）をデータ用ポートに出力し、出力が安定したタイミングでＷｒｉｔｅ信号（ＷＲ０）をパルス状に出力する（ステップＲ０３、Ｒ０４）。ここで、パルス幅である時間ｔ１と、パルス周期であるｔ２は、記録メディア３９ａの種類によって異なる最適な値である。記録メディア３９ａは、Ｗｒｉｔｅ信号（ＷＲ０）が入力されたタイミングで設定されているデータ（Ｄ０００〜Ｄ０１５）を読込む。
【００８９】
この処理を所定回数繰り返し（ステップＲ０５）、第１回の送信単位のデータ送信を行う。従って、所定回数が３２回であるとすると、１６ビット×３２＝５１２ビット、即ち６４バイトが１回の送信で送られる画像データ量となる。
【００９０】
１回の送信単位のデータを受信した記録メディア３９ａは、データメモリ１２０ａの指定されたアドレス（Ａ０００〜Ａ００９）から受信したデータの書込みを開始し、それとともにＷａｉｔ信号（ＷＡＩＴ０）を「Ｈ」レベルとする。
【００９１】
画像処理コントローラ４０は、Ｗａｉｔ信号（ＷＡＩＴ０）が「Ｌ」レベルとなるまで、データの転送を一時停止する（ステップＲ０６）。そして、Ｗａｉｔ信号（ＷＡＩＴ０）が「Ｌ」レベルになったときは、次に書き込むべきアドレス（Ａ０００〜Ａ００９）を計算してアドレスポートに出力し、次回の送信単位のデータの送信を開始する（ステップＲ０２〜Ｒ０５）。
【００９２】
以上の送信手順を繰り返して、画像データを全て出力したときは（ステップＲ０７）、Ｃｈｉｐ_ｅｎａｂｌｅ信号（ＣＥ０）を「Ｌ」レベルにして記録メディア３９ａに対してデータ転送が終了したことを通知する（ステップＲ０８）。画像処理コントローラ４０は、記録メディア３９ｂに対しても同様の手順で画像データの送信を実施する。
【００９３】
この実施の形態によれば、画像処理コントローラ４０は、記録メディア３９ａと記録メディア３９ｂに対しておのおの独立にデータを送信できるため、データ転送時間を短縮化することができる。
【００９４】
［第２の実施の形態］
第２の実施の形態では、画像処理コントローラ４０と記録メディア３９ａ、３９ｂとの信号接続形態と信号授受手順のみが第１の実施の形態と異なっている。従って、第１の実施の形態と同一の部位には同一の符号を付してその詳細の説明は省略する。
【００９５】
図１４は、記録メディア３９ａ、３９ｂと画像処理コントローラ４０との間の信号接続を示す図である。
【００９６】
第２の実施の形態では、画像処理コントローラ４０の出力ポートにアドレス信号（Ａ００〜Ａ０９）とデータ信号（Ｄ００〜Ｄ１５）を１系統のみ設け、さらに、データ信号の一部（Ｄ００〜Ｄ１０）とアドレス信号（Ａ００〜Ａ０９）を共有して、出力ポートの数を減少させている。
【００９７】
そして、アドレス信号（Ａ００〜Ａ０９）とデータ信号（Ｄ００〜Ｄ１５）について、記録メディア３９ａ、３９ｂとのインターフェースをとるため、アドレス信号用ラッチ回路１４１ａ、１４１ｂとデータ信号用ラッチ回路１４２ａ、１４２ｂを新たに備え、画像処理コントローラ４０の出力ポートにアドレス用ラッチ信号（ＬＡＴＣＨ＿Ａ０、ＬＡＴＣＨ＿Ａ１）及びデータ用ラッチ信号（ＬＡＴＣＨ＿Ｄ０、ＬＡＴＣＨ＿Ｄ１）を設けている。
【００９８】
図１５は、ラッチ回路の動作を説明する図である。図１５の（１）は、ラッチ回路の内部の構成を示し、図１５の（２）は、ラッチ回路に用いられているラッチ回路の一部１４４の入出力動作の真理値表を示している。
【００９９】
図１５の（１）において、Ｄ０、Ｄ１、…は入力データを表わし、Ｑ０、Ｑ１、…は出力データを表わしている。そして、ＣＫはラッチ信号、ＯＥ＊はアウトプットイネーブル信号である。なお、アウトプットイネーブル信号は、図ではＯＥの上部にバーを付して表記しているが、以下、明細書中ではＯＥ＊と記載する。
【０１００】
図１５の（２）の真理値表によれば、アウトプットイネーブル信号（ＯＥ＊）が、「Ｈ」レベルのときは、出力データ（Ｑ０）は高インピーダンス状態で固定される。すなわち、ラッチ回路１４４の出力値は常にリセットされた状態となる。
【０１０１】
一方、アウトプットイネーブル信号（ＯＥ＊）が、「Ｌ」レベルのときで、ラッチ信号（ＣＫ）が「Ｌ」から「Ｈ」に変化したときは、入力データ（Ｄ０）の状態が出力データ（Ｑ０）に設定される。
【０１０２】
そして、アウトプットイネーブル信号（ＯＥ＊）が、「Ｌ」レベルのときで、ラッチ信号（ＣＫ）が「Ｈ」から「Ｌ」に変化したときは、出力データ（Ｑ０）は、その状態を保持し続ける。すなわち、出力データはラッチされた状態となる。
【０１０３】
図１６は、画像処理コントローラ４０と記録メディア３９ａ、３９ｂとのデータ授受信号のタイムチャートを表わす図である。
【０１０４】
画像処理コントローラ４０は、Ｃｈｉｐ＿Ｅｎａｂｌｅ信号（ＣＥ０、ＣＥ１）を「Ｈ」レベルにして記録メディア３９ａ、３９ｂに対してデータ転送を行うことを通知する。記録メディア３９ａ、３９ｂは、データの受け入れのための準備を行う。
【０１０５】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１０６】
そして、画像処理コントローラ４０は、アドレス用ラッチ信号（ＬＡＴＣＨ＿Ａ０）をパルス状に出力する。上述のように、アドレス用ラッチ信号（ＬＡＴＣＨ＿Ａ０）が「Ｈ」から「Ｌ」に変化するタイミングでラッチ回路１４１ａの出力は保持され、記録メディア３９ａにアドレスが設定される。
【０１０７】
そこで、画像処理コントローラ４０は、記録メディア３９ｂの画像データを書き込むアドレス（Ａ００〜Ａ０９）をアドレス用ポートに出力する。そして、画像処理コントローラ４０は、アドレス用ラッチ信号（ＬＡＴＣＨ＿Ａ１）をパルス状に出力する。上述のように、アドレス用ラッチ信号（ＬＡＴＣＨ＿Ａ１）が「Ｈ」から「Ｌ」に変化するタイミングでラッチ回路１４１ｂの出力は保持され、記録メディア３９ｂにアドレスが設定される。
【０１０８】
次に、画像処理コントローラ４０は、転送する画像データを複数に分割し、その分割したそれぞれのデータを１回の送信単位として、その送信を繰り返して画像データを記録メディア３９ａと記録メディア３９ｂに転送する
画像処理コントローラ４０は、記録メディア３９ａに転送する最初のデータをデータ用ポート（Ｄ００〜Ｄ１５）に出力し、データ用ラッチ信号（ＬＡＴＣＨ＿Ｄ０）をパルス状に出力する。上述のように、データ用ラッチ信号（ＬＡＴＣＨ＿Ｄ０）が「Ｈ」から「Ｌ」に変化するタイミングでラッチ回路１４２ａの出力は保持され、記録メディア３９ａにデータが設定される。画像処理コントローラ４０は、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１０９】
画像処理コントローラ４０は、記録メディア３９ｂに転送する最初のデータをデータ用ポート（Ｄ００〜Ｄ１５）に出力し、データ用ラッチ信号（ＬＡＴＣＨ＿Ｄ１）をパルス状に出力する。上述のように、データ用ラッチ信号（ＬＡＴＣＨ＿Ｄ１）が「Ｈ」から「Ｌ」に変化するタイミングでラッチ回路１４２ｂの出力は保持され、記録メディア３９ｂにデータが設定される。画像処理コントローラ４０は、出力が安定したタイミングでＷｒｉｔｅ信号（ＷＲ１）をパルス状に出力する。記録メディア３９ｂは、Ｗｒｉｔｅ信号（ＷＲ１）が入力されたタイミングで設定されているデータ（Ｄ０００〜Ｄ０１５）を読込む。
【０１１０】
この処理を所定回数繰り返して、記録メディア３９ａ、３９ｂに対して第１回の送信単位のデータ送信を行う。１回の送信単位のデータを受信した記録メディア３９ａ、３９ｂは、それぞれデータメモリ１２０ａ、１２０ｂの指定されたアドレス（Ａ０００〜Ａ００９、Ａ１００〜Ａ１０９）から受信したデータの書込みを開始し、それとともにＷａｉｔ信号（ＷＡＩＴ０、ＷＡＩＴ１）を「Ｈ」レベルとする。
【０１１１】
画像処理コントローラ４０は、Ｗａｉｔ信号（ＷＡＩＴ０、ＷＡＩＴ１）が「Ｌ」レベルとなるまで、データの転送を一時停止する。そして、Ｗａｉｔ信号（ＷＡＩＴ０、ＷＡＩＴ１）が「Ｌ」レベルになったときは、次に書き込むべきアドレス（Ａ０００〜Ａ００９）を計算してアドレスポートに出力し、次回の送信単位のデータの送信を開始する。
【０１１２】
以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａ、３９ｂに対してデータ転送が終了したことを通知する。
【０１１３】
第２の実施の形態によれば、第１の実施の形態の効果に加え、画像処理コントローラ４０の出力ポートの数を減少することができる。
【０１１４】
［第３の実施の形態］
第３の実施の形態では、画像処理コントローラ４０とデータ用ラッチ回路１４２ａとの信号接続形態と信号授受手順のみが第２の実施の形態と異なっている。従って、第２の実施の形態と同一の部位には同一の符号を付してその詳細の説明は省略する。
【０１１５】
図１７は、画像処理コントローラ４０とデータ用ラッチ回路１４２ａの一部のラッチ回路１４５との間の信号接続を示す図である。第３の実施の形態では、画像処理コントローラ４０がアウトプットイネーブル信号（ＯＥ＊）の「Ｈ」、「Ｌ」レベルを制御して、データをラッチして出力するか、ラッチせずに出力するかを切り換えることを可能にしている。
【０１１６】
すなわち、アウトプットイネーブル信号（ＯＥ＊）が「Ｌ」レベルのときは、第２の実施の形態の図１５に示す回路で説明したように、一部のラッチ回路１４５の出力データはラッチ信号（ＬＡＴＣＨ）によって保持された信号が出力される。
【０１１７】
一方、アウトプットイネーブル信号（ＯＥ＊）が「Ｈ」レベルのときは、第２の実施の形態の図１５に示す回路で説明したように、一部のラッチ回路１４５の出力データはリセットされる。このとき、一部のラッチ回路１４５以外の回路からのデータ信号はアウトプットイネーブル信号（ＯＥ＊）によって出力される。
【０１１８】
このラッチ回路を用いれば、記録メディアが複数ある場合には第２の実施の形態と同様にデータを転送し、記録メディアが１つの場合にはデータをラッチする必要がないためラッチ信号を用いずにＷｒｉｔｅ信号（ＷＲ０）のみを用いてデータを転送することができる。
【０１１９】
すなわち、図１８に示すように、メディアが１つの場合はアウトプットイネーブル信号（ＯＥ＊）を「Ｈ」レベルとし、メディアが複数の場合はアウトプットイネーブル信号（ＯＥ＊）を「Ｌ」レベルとすることで上述の動作を実現することができる。
【０１２０】
図１９は、画像処理コントローラ４０が記録メディア３９ａとのみデータ授受を行う際の信号のタイムチャートを表わす図である。すなわち、１つの記録メディアとの間でのデータ授受動作を表わしている。
【０１２１】
画像処理コントローラ４０は、Ｃｈｉｐ＿Ｅｎａｂｌｅ信号（ＣＥ０）を「Ｈ」レベルにして記録メディア３９ａに対してデータ転送を行うことを通知する。記録メディア３９ａは、データの受け入れのための準備を行う。
【０１２２】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１２３】
そして、画像処理コントローラ４０は、アドレス用ラッチ信号（ＬＡＴＣＨ＿Ａ０）をパルス状に出力する。上述のように、アドレス用ラッチ信号（ＬＡＴＣＨ＿Ａ０）が「Ｈ」から「Ｌ」に変化するタイミングでラッチ回路１４１ａの出力は保持され、記録メディア３９ａにアドレスが設定される。
【０１２４】
次に、画像処理コントローラ４０は、転送する画像データを複数に分割し、その分割したそれぞれのデータを１回の送信単位として、その送信を繰り返して画像データを記録メディア３９ａに転送する
そこで、画像処理コントローラ４０は、アウトプットイネーブル信号（ＯＥ＊）を「Ｈ」レベルとする。これによって、図１７に示す回路で説明したように、データはラッチ回路をスルーして記録メディア３９ａに出力される。
【０１２５】
画像処理コントローラ４０は、記録メディア３９ａに転送する最初のデータをデータ用ポート（Ｄ００〜Ｄ１５）に出力し、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１２６】
この処理を所定回数繰り返して、記録メディア３９ａに対して第１回の送信単位のデータ送信を行う。１回の送信単位のデータを受信した記録メディア３９ａは、それぞれデータメモリ１２０ａの指定されたアドレス（Ａ０００〜Ａ００９）から受信したデータの書込みを開始し、それとともにＷａｉｔ信号（ＷＡＩＴ０）を「Ｈ」レベルとする。
【０１２７】
以下、第１、第２の実施の形態で説明した動作と同様の動作を実行する。すなわち、画像処理コントローラ４０は、Ｗａｉｔ信号（ＷＡＩＴ０）が「Ｌ」レベルとなるまで、データの転送を一時停止する。そして、Ｗａｉｔ信号（ＷＡＩＴ０）が「Ｌ」レベルになったときは、次に書き込むべきアドレス（Ａ０００〜Ａ００９）を計算してアドレスポートに出力し、次回の送信単位のデータの送信を開始する。以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａに対してデータ転送が終了したことを通知する。
【０１２８】
第３の実施の形態によれば、記録メディアの数に応じて適切なデータ転送方法を容易に切り換えて使用することができる。
【０１２９】
［第４の実施の形態］
第４の実施の形態では、画像処理コントローラ４０と記録メディア３９ａ、３９ｂとの信号接続形態と信号授受手順のみが第２の実施の形態と異なっている。従って、第２の実施の形態と同一の部位には同一の符号を付してその詳細の説明は省略する。
【０１３０】
図２０は、記録メディア３９ａ、３９ｂと画像処理コントローラ４０との間の信号接続を示す図である。
【０１３１】
第４の実施の形態では、画像処理コントローラ４０の出力ポートにアドレス信号（Ａ００〜Ａ０９）とデータ信号（Ｄ００〜Ｄ１５）を１系統のみ設け、さらに、データ信号の一部（Ｄ００〜Ｄ１０）とアドレス信号（Ａ００〜Ａ０９）を共有して、出力ポートの数を減少させている。
【０１３２】
そして、アドレス信号（Ａ００〜Ａ０９）について、記録メディア３９ａ、３９ｂとのインターフェースをとるため、アドレス信号用ラッチ回路１４１ａ、１４１ｂを備え、画像処理コントローラ４０の出力ポートにアドレス用ラッチ信号（ＬＡＴＣＨ０、ＬＡＴＣＨ１）を設けている。
【０１３３】
一方、データ信号（Ｄ００〜Ｄ１５）はラッチ回路を介さずに直接記録メディア３９ａ、３９ｂと共通の信号線で接続している。
【０１３４】
図２１は、画像処理コントローラ４０と記録メディア３９ａ、３９ｂとのデータ授受信号のタイムチャートを表わす図である。
【０１３５】
画像処理コントローラ４０は、Ｃｈｉｐ＿Ｅｎａｂｌｅ信号（ＣＥ０、ＣＥ１）を「Ｈ」レベルにして記録メディア３９ａ、３９ｂに対してデータ転送を行うことを通知する。記録メディア３９ａ、３９ｂは、データの受け入れのための準備を行う。
【０１３６】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１３７】
そして、画像処理コントローラ４０は、アドレス用ラッチ信号（ＬＡＴＣＨ０）をパルス状に出力する。上述のように、アドレス用ラッチ信号（ＬＡＴＣＨ０）が「Ｈ」から「Ｌ」に変化するタイミングでラッチ回路１４１ａの出力は保持され、記録メディア３９ａにアドレスが設定される。
【０１３８】
続いて、画像処理コントローラ４０は、記録メディア３９ｂの画像データを書き込むアドレス（Ａ００〜Ａ０９）をアドレス用ポートに出力する。そして、画像処理コントローラ４０は、アドレス用ラッチ信号（ＬＡＴＣＨ１）をパルス状に出力する。上述のように、アドレス用ラッチ信号（ＬＡＴＣＨ１）が「Ｈ」から「Ｌ」に変化するタイミングでラッチ回路１４１ｂの出力は保持され、記録メディア３９ｂにアドレスが設定される。
【０１３９】
次に、画像処理コントローラ４０は、転送する画像データを複数に分割し、その分割したそれぞれのデータを１回の送信単位として、その送信を繰り返して画像データを記録メディアに転送する。
【０１４０】
画像処理コントローラ４０は、記録メディア３９ａに転送する最初のデータをデータ用ポート（Ｄ００〜Ｄ１５）に出力し、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１４１】
次に画像処理コントローラ４０は、記録メディア３９ｂに転送する最初のデータをデータ用ポート（Ｄ００〜Ｄ１５）に出力し、出力が安定したタイミングでＷｒｉｔｅ信号（ＷＲ１）をパルス状に出力する。記録メディア３９ｂは、Ｗｒｉｔｅ信号（ＷＲ１）が入力されたタイミングで設定されているデータ（Ｄ１００〜Ｄ１１５）を読込む。
【０１４２】
以上の処理を所定回数繰り返して、記録メディア３９ａ、３９ｂに対して第１回の送信単位のデータ送信を行う。１回の送信単位のデータを受信した記録メディア３９ａ、３９ｂは、それぞれデータメモリ１２０ａ、１２０ｂの指定されたアドレス（Ａ０００〜Ａ００９、Ａ１００〜Ａ１０９）から受信したデータの書込みを開始し、それとともにＷａｉｔ信号（ＷＡＩＴ０、ＷＡＩＴ１）を「Ｈ」レベルとする。
【０１４３】
画像処理コントローラ４０は、Ｗａｉｔ信号（ＷＡＩＴ０、ＷＡＩＴ１）が「Ｌ」レベルとなるまで、データの転送を一時停止する。そして、Ｗａｉｔ信号（ＷＡＩＴ０、ＷＡＩＴ１）が「Ｌ」レベルになったときは、次に書き込むべきアドレス（Ａ００〜Ａ０９）を計算してアドレスポートに出力し、次回の送信単位のデータの送信を開始する。
【０１４４】
以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａ、３９ｂに対してデータ転送が終了したことを通知する。
【０１４５】
第４の実施の形態によれば、第２の実施の形態の効果に加え、更に回路構成を簡単にすることができる。
【０１４６】
なお、図２２に示すように、組合せ識別情報はファイル名でなくフォルダ名であっても良い。
【０１４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１４８】
【図１】本発明の第１の実施の形態のデータ記録装置が適用されるデジタルカメラを示す斜視図。
【図２】グリップ部のカードカバーを開いて斜め後方から見た斜視図。
【図３】デジタルカメラのシステム構成。
【図４】組合せ識別情報に係る第１の実施の形態を示す図。
【図５】識別専用ファイルを示す図。
【図６】組合せ識別情報に係る第２の実施の形態を示す図。
【図７】組合せ識別情報に係る第３の実施の形態を示す図。
【図８】画像データの転送、記録動作を示す概略のフロー図。
【図９】画像データの転送、記録動作を示す概略のフロー図。
【図１０】画像データの転送、記録動作を示す概略のフロー図。
【図１１】記録メディアと画像処理コントローラとの間の信号接続を示す図。
【図１２】画像処理コントローラでの記録メディアとのデータ授受手順を示すフロー図。
【図１３】画像処理コントローラと記録メディアとのデータ授受信号のタイムチャートを表わす図。
【図１４】記録メディアと画像処理コントローラとの間の信号接続を示す図。
【図１５】ラッチ回路の動作を説明する図。
【図１６】画像処理コントローラと記録メディアとのデータ授受信号のタイムチャートを表わす図。
【図１７】画像処理コントローラとデータ用ラッチ回路の一部のラッチ回路との間の信号接続を示す図。
【図１８】データ出力動作を示すフロー図。
【図１９】画像処理コントローラが記録メディアとのみデータ授受を行う際の信号のタイムチャートを表わす図。
【図２０】記録メディアと画像処理コントローラとの間の信号接続を示す図。
【図２１】画像処理コントローラと記録メディアとのデータ授受信号のタイムチャートを表わす図。
【図２２】組合せ識別情報に係る他の実施の形態を示す図。
【符号の説明】
【０１４９】
３５…通信コネクタ、３９…記録メディア、４０…画像処理コントローラ、１００…ボディユニット、１１１…カードカバー、１２０…メモリカード、１２２…識別専用ファイル、１２３…識別専用ファイル、１２４…ボリュームラベル、１４１…ラッチ回路、１４２…ラッチ回路、１４４…ラッチ回路、１４５…ラッチ回路。
【図１】
2005175575.tif 000003
【図２】
2005175575.tif 000004
【図３】
2005175575.tif 000005
【図４】
2005175575.tif 000006
【図５】
2005175575.tif 000007
【図６】
2005175575.tif 000008
【図７】
2005175575.tif 000009
【図８】
2005175575.tif 000010
【図９】
2005175575.tif 000011
【図１０】
2005175575.tif 000012
【図１１】
2005175575.tif 000013
【図１２】
2005175575.tif 000014
【図１３】
2005175575.tif 000015
【図１４】
2005175575.tif 000016
【図１５】
2005175575.tif 000017
【図１６】
2005175575.tif 000018
【図１７】
2005175575.tif 000019
【図１８】
2005175575.tif 000020
【図１９】
2005175575.tif 000021
【図２０】
2005175575.tif 000022
【図２１】
2005175575.tif 000023
【図２２】
2005175575.tif 000024